(57)【要約】【課題】本発明は、墨インキ、藍インキ、赤インキ、黄インキの四色構成によるインキであっても、黒色濃度を上げるとともに、白抜き文字の潰れが発生したり、ＰＯＳコードの読み取りエラーが発生しやすくなったり、罫線割れするおそれがなく、印刷回数が増えず、工程的にもコスト的にも好ましく、乾燥不良が生じにくくなり、インキの密着良好な墨インクおよびこの墨インクを用いた印刷物を提供するすることを目的とする。【解決手段】重量比で、プロセス墨インキが１０００に対して、墨以外のインキを２以上２００以下の量で混合した墨インキを提供する。【選択図】なし【特許請求の範囲】
【請求項１】
重量比で、プロセス墨インキが１０００に対して、墨以外のインキを２以上２００以下の量で混合した墨インキ。
【請求項２】
前記墨以外のインキが、藍インキと赤インキと黄インキの重量比で藍インキ３０以上７０以下、赤インキ３０以上７０以下、黄インキ１０以上３０以下の比率からなる請求項１記載の墨インキ。
【請求項３】
前記墨インキ、前記藍インキ、前記赤インキ、前記黄インキが各々オフセット印刷用プロセスインキである請求項２記載の墨インキ。
【請求項４】
前記墨インキ、前記藍インキ、前記赤インキ、前記黄インキが各々紫外線硬化型オフセット印刷用プロセスインキである請求項３記載の墨インキ。
【請求項５】
請求項１から４何れか記載の墨インキを用いて印刷された印刷物。
【請求項６】
請求項５記載の墨インキ、および藍インキ、赤インキ、黄インキを用いて印刷された印刷物。
【請求項７】
印刷物が紙器である請求項６記載の印刷物。
【発明の詳細な説明】
【技術分野】
【０００１】
本発明は、紙器などの印刷物およびその印刷に用いられるオフセットインキなどのインキのうち、墨インキに関するものである。
【背景技術】
【０００２】
多くの場合、オフセット印刷に用いられるインキは、藍、赤、黄、墨の四色からなっている。この四色の組み合わせで彩度や濃度を上げるのは容易ではなかった。そこで、特許文献１のように、紅、橙、黄、緑、藍、紫、墨インクを用いて高彩度で色再現性に優れた印刷方法が開発されていた。
【０００３】
しかし、それではインキの種類だけ印刷回数が増えてしまい、工程的にもコスト的にも好ましいものではなかった。それだけではなく、特許文献１の技術でも黒色の濃度を上げることは困難であり、対策としてインキの盛り量を多くして対応していた。しかし、これでは白抜き文字の潰れが発生したり、ＰＯＳコードの読み取りエラーが発生しやすくなったり、罫線割れするおそれがあるといった問題があった。
【０００４】
別な対応として、墨版を二度刷る二版がけで対応する場合もあるが、これでは印刷回数が増えてしまい、工程的にもコスト的にも好ましいものではなかった。また別な対応として、墨部分に藍インキや赤インキによる網を引く方法がある。しかし、この方法では墨インキの印刷後に藍インキや赤インキをその上から刷ることになるため、乾燥不良が生じやすくなり、その結果、インキの密着が悪くなる場合があった。
【先行技術文献】
【特許文献】
【０００５】
【特許文献１】特開平２−３２８９０号公報
【発明の概要】
【発明が解決しようとする課題】
【０００６】
本発明は、墨インキ、藍インキ、赤インキ、黄インキの四色構成によるインキであっても、黒色濃度を上げるとともに、白抜き文字の潰れが発生したり、ＰＯＳコードの読み取りエラーが発生しやすくなったり、罫線割れするおそれがなく、印刷回数が増えず、工程的にもコスト的にも好ましく、乾燥不良が生じにくくなり、インキの密着良好な墨インクおよびこの墨インクを用いた印刷物を提供することである。
【課題を解決するための手段】
【０００７】
本発明はこの課題を解決するために、請求項１においては、重量比で、プロセス墨インキが１０００に対して、墨以外のインキを２以上２００以下の量で混合した墨インキを提供するものである。
【０００８】
また、請求項２においては、前記墨以外のインキが、藍インキと赤インキと黄インキの重量比で藍インキ３０以上７０以下、赤インキ３０以上７０以下、黄インキ１０以上３０以下からなる請求項１記載の墨インキを提供するものである。
【０００９】
また、請求項３においては、前記墨インキ、前記藍インキ、前記赤インキ、前記黄インキが各々オフセット印刷用プロセスインキである請求項２記載の墨インキを提供するものである。
【００１０】
また、請求項４においては、前記墨インキ、前記藍インキ、前記赤インキ、前記黄インキが各々紫外線硬化型オフセット印刷用プロセスインキである請求項３記載の墨インキを提供するものである。
【００１１】
また、請求項５においては、請求項１から４何れか記載の墨インキを用いて印刷された印刷物を提供するものである。
【００１２】
また、請求項６においては、請求項５記載の墨インキ、および藍インキ、赤インキ、黄インキを用いて印刷された印刷物を提供するものである。
【００１３】
また、請求項７においては、印刷物が紙器である請求項６記載の印刷物を提供するものである。
【発明の効果】
【００１４】
本発明はこの課題を解決するために、請求項１においては、墨インキ、藍インキ、赤インキ、黄インキの四色構成によるインキであっても、黒色濃度を上げるとともに、白抜き文字の潰れが発生したり、ＰＯＳコードの読み取りエラーが発生しやすくなったり、罫線割れするおそれがなく、印刷回数が増えず、工程的にもコスト的にも好ましく、乾燥不良が生じにくくなり、インキの密着良好な墨インクおよびこの墨インクを用いた印刷物を提供できる。
【００１５】
また、請求項２においては、色味が生じたり、黒の色彩から外れてしまうことがない。
【００１６】
また、請求項３においては、色品質が安定しているので、試行錯誤することなく最適なインキ配合を求めることができる。
【００１７】
また、請求項４においては、紫外線照射により速乾性とすることができ、混色が生じにくく黒濃度の高い墨インキの印刷を提供することができる。
【００１８】
また、請求項５においては、墨インキの黒濃度が高まったために、インキの盛量を抑えることができ、白抜き文字の潰れの抑制や、ＰＯＳコードの読み取りエラーの防止、罫線割れの防止ができ、一度の墨印刷で高い黒濃度を実現できるので、工程的にもコスト的にも好ましく、墨部分に藍インキや赤インキによる網を引く必要がなくなったために乾燥不良が生じにくくなり、インキの密着良好とすることができる。
【００１９】
また、請求項６においては、色再現性の幅が広がり、高級感のある印刷物を提供することができる。
【００２０】
また、請求項７においては、紙器の組み立て時の罫線割れを抑えた紙器である印刷物を提供することができる。
【発明を実施するための形態】
【００２１】
重量比で、プロセス墨インキが１０００に対して、墨以外のインキを２以上２００以下の量で混合した墨インキを作成する。この場合、インキの混練は三本ロールを用いて行った。
【００２２】
重量比で、プロセス墨インキが１０００に対して、墨以外のインキを２未満であると、純墨インキとの差異が明確ではなく、２００を超えると、黒濃度が画逆に低下する。好ましくは、１００以上１５０以下が良い。
【００２３】
また、墨以外のインキが、藍インキと赤インキと黄インキの重量比で藍インキ３０以上７０以下、赤インキ３０以上７０以下、黄インキ１０以上３０以下からなる墨インキとするものが好ましい。藍インキが３０未満や７０を超えたり、赤インキが３０未満や７０を超えたり、黄インキが１０未満や３０を超えたりすると、色味が生じ、黒の色彩から外れてしまう。特に好ましくは、藍インキと赤インキと黄インキの重量比で藍インキ４０以上６０以下、赤インキ４０以上６０以下、黄インキ１５以上２５以下が特に好ましい。
【００２４】
また、墨インキ、藍インキ、赤インキ、黄インキが各々オフセット印刷用プロセスインキであるのが好ましいが、グラビア印刷用インキ、その他のインキでも構わない。各々オフセット印刷用プロセスインキであると、色品質が安定しているので、試行錯誤することなく最適なインキ配合を求めることができる。もちろん、純粋なオフセット印刷用プロセスインキでなくとも、各々オフセット印刷用プロセスインキの色とみなせるほど類似している色ならば同様の効果を得ることができるため好ましいが、他のプロセスインキ以外のインキや、他の色のインキでもバランスさえよければそれなりの効果がある。
【００２５】
また、墨インキ、藍インキ、赤インキ、黄インキが各々紫外線硬化型オフセット印刷用プロセスインキであるのが好ましい。各々オフセット印刷用プロセスインキが紫外線硬化型であると、紫外線照射により速乾性とすることができ、混色が生じにくく黒濃度の高い墨インキの印刷を提供することができる。
【００２６】
この墨インキを用いてオフセット印刷を紙などに施し、印刷物とする。このような印刷物は墨インキの黒濃度が高まったために、インキの盛量を抑えることができ、白抜き文字の潰れの抑制や、ＰＯＳコードの読み取りエラーの防止、罫線割れの防止ができ、一度の墨印刷で高い黒濃度を実現できるので、工程的にもコスト的にも好ましく、墨部分に藍インキや赤インキによる網を引く必要がなくなったために乾燥不良が生じにくくなり、インキの密着良好な印刷物を提供することができる。
【００２７】
また、墨インキ、および藍インキ、赤インキ、黄インキを用いて印刷された印刷物とするのが好ましい。このような印刷物は色再現性の幅が広がり、高級感のある印刷物を提供することができる。この場合のスクリーン角度は、墨版４５度、藍版１５度、赤版７５度、黄版３０度が好ましいが、対象印刷物や絵柄によって適宜調整しても良い。
【００２８】
また、印刷物はフィルム等でも構わないが、紙器であると特に効果が高い。このような紙器である印刷物は、紙器の組み立て時の罫線割れを抑えた紙器を提供することができる。
【実施例】
【００２９】
以下に、本発明の実施例を記載する。但し、本発明は、以下に記載する事項に限定されるわけではない。
【００３０】
＜実施例１＞
ＦＤカルトンＸ（東洋インキ株式会社製のＵＶオフセットインキ）につき、墨インキ、藍インキ、赤インキ、黄インキを用意した。その上で、配合比が重量比で墨インキが１０００に対し藍インキが５０、赤インキが５０、黄インキが２０になるように三本ロールを用いて混練して特墨インキを作成した。このような特墨インキを用いてオフセット印刷用紙器用紙にベタ印刷を行った。
【００３１】
＜比較例１＞
ＦＤカルトンＸ（東洋インキ株式会社製のＵＶオフセットインキ）墨インキを用意した。このようなプロセス墨インキを用いてオフセット印刷用紙器用紙にベタ印刷を行った。
【００３２】
（測定結果）
実施例１と比較例１につき５点を反射濃度計デンシアイ１００（エックスライト社：製品名）により測定した。実施例１の５点平均濃度は１．７３であった。対して比較例１の５点平均濃度は１．６５であった。
【００３３】
これにより、墨インキに他の色インキを少量混ぜた方が、純墨インキよりも濃度が高いことが分かった。